(57)【要約】【課題】内視鏡洗滌装置のワイヤブラシが前進し過ぎたときに、それを前進させている駆動用のローラに絡まることを防止する。【解決手段】内視鏡洗滌装置５１がワイヤブラシ３１と、ワイヤブラシ収納部位５６と、ローラ７２と、ワイヤの位置検出手段６７を有する。ワイヤブラシ３１は、ワイヤの後端に位置検出手段６７に対する作用部６６が設けられる。作用部６６は、ワイヤと直交する方向の断面形状が前記ワイヤよりも径が大きい実質的な円形を成している。収納部位５６の前端部５６ａにおけるローラ７２よりも中間部５６ｃ寄りの部位には、ワイヤの径よりも大きくて作用部６６の径よりも小さい、ワイヤの通過が可能で作用部６６の通過を阻止することが可能なストッパー部９３が形成されている。【選択図】      図３
2004167101.tif 000002
【特許請求の範囲】
【請求項１】
前端と後端とを有するワイヤの前記前端にブラシが取り付けられているワイヤブラシと、前記ワイヤブラシを収納する部位と、前記ブラシを内視鏡の管路に挿入した状態で前記ワイヤブラシ収納部位から前記内視鏡へ向かう方向に前記ワイヤブラシを前進・後退させることができる駆動手段とを有する内視鏡洗滌装置において、
前記ワイヤブラシ収納部位は、前端部と後端部とこれら両端部間に延びるパイプ状の中間部とを有し、前記前端部が開放状態にあって前記内視鏡の管路に接続可能に形成され、前記前端部における前記中間部寄りには前記駆動手段を成して前記ワイヤを径方向から挟持する一対の回転可能なローラが設けられ、前記中間部と後端部との少なくとも一方には前記ワイヤの位置検出手段が設けられており、前記ワイヤの前記後端には前記検出手段に対する作用部が設けられ、前記作用部は前記ワイヤと直交する方向の断面形状が前記ワイヤよりも径が大きい実質的な円形を成しており、前記前端部における前記ローラよりも前記中間部寄りの部位には、前記ワイヤの径よりも大きくて前記作用部の径よりも小さい、前記作用部の前進を阻止することが可能なストッパー部が形成されていることを特徴とする前記内視鏡洗滌装置。
【請求項２】
前記ストッパー部の前端から前記一対のローラの前記ワイヤを挟持する部位までの距離が３〜５０ｍｍの範囲にある請求項１記載の内視鏡洗滌装置。
【発明の詳細な説明】
【０００１】
【発明の属する技術分野】
この発明は、ワイヤブラシを使用して内視鏡を洗滌するための装置に関する。
【０００２】
【従来の技術】
従来、内視鏡洗滌槽に納まる内視鏡の管路にワイヤブラシを自動挿入して管路内部を洗滌する装置として、ワイヤブラシを形成している長尺のワイヤを一対の回転可能なローラで挟持してリールに巻き取り、管路の長さに応じた必要量をそのリールから繰り出すことができる機構を採用している装置がある（特許文献１および２参照）。
【０００３】
【特許文献１】
特開平７−１９４５３３号公報（図１）
【特許文献２】
特開平８−２７５９１７号公報（図１）
【０００４】
【発明が解決しようとする課題】
リールから繰り出したワイヤブラシをローラで挟むことによって前進・後退させる前記従来の洗滌装置では、リールから繰り出したワイヤブラシを一対のローラ間へ挿入する際に、その先端が曲がっているとうまく挿入できない場合がある。また、ワイヤブラシが過剰に繰り出されてワイヤ全長のうちで特に径が大きく作られている後端が一対のローラに挟まれると、ローラはワイヤブラシが後退する方向へ回転しなくなるということがある。
【０００５】
この発明は、ワイヤブラシを使用して内視鏡の管路を洗滌するための装置の改良に係り、一対のローラ間へワイヤブラシを確実に挿入することができるようにしたり、ワイヤブラシの過剰な繰り出しを防止したりすることを課題にしている。
【０００６】
【課題を解決するための手段】
前記課題解決のために、この発明が対象とするのは、前端と後端とを有するワイヤの前記前端にブラシが取り付けられているワイヤブラシと、前記ワイヤブラシを収納する部位と、前記ブラシを内視鏡の管路に挿入した状態で前記ワイヤブラシ収納部位から前記内視鏡へ向かう方向に前記ワイヤブラシを前進・後退させることができる駆動手段とを有する内視鏡洗滌装置である。
【０００７】
かかる内視鏡洗滌装置において、この発明が特徴とするところは、次のとおりである。前記ワイヤブラシ収納部位は、前端部と後端部とこれら両端部間に延びるパイプ状の中間部とを有する。前記前端部は開放状態にあって前記内視鏡の管路に接続可能に形成され、前記前端部における前記中間部寄りには前記駆動手段を成して前記ワイヤを径方向から挟持する一対の回転可能なローラが設けられる。前記中間部と後端部との少なくとも一方には、前記ワイヤの位置検出手段が設けられており、前記ワイヤの前記後端には前記検出手段に対する作用部が設けられる。前記作用部は、前記ワイヤと直交する方向の断面形状が前記ワイヤよりも径が大きい実質的な円形を成しており、前記前端部における前記ローラよりも前記中間部寄りの部位には、前記ワイヤの径よりも大きくて前記作用部の径よりも小さい、前記作用部の前進を阻止することが可能なストッパー部が形成されている。
【０００８】
この発明の好ましい実施態様において、前記ストッパー部の前端から前記一対のローラの前記ワイヤを挟持する部位までの距離が３〜５０ｍｍの範囲にある。
【０００９】
【発明の実施の形態】
添付の図面を参照して、この発明に係る内視鏡洗滌装置の詳細を説明すると、以下のとおりである。
図１は、この発明に係る内視鏡洗滌装置が使用されている洗滌槽３の頂面図であって、洗滌槽３は蓋４が開いた状態にあり、この蓋４がヒンジ５によって洗滌槽３に取り付けられている。洗滌槽３には、使用後の内視鏡２が洗滌のために入れられており、給水口１３，１４からは洗滌水を供給可能である。その洗滌水には、アルカリ水や酸性水、水道水が使用される。これら洗滌水の供給条件、例えば供給の順序や供給量は、洗滌槽３に付属する操作パネル（図示せず）によって設定することができる。洗滌槽３内部の洗滌水は、排水口１５から外へ出る。内視鏡２は慣用のもので、コネクター部１７、ユニバーサルコード部１８、操作部１９、および挿入部２１等を有する。操作部１９には、鉗子挿入口２２、吸引ボタン挿入口２３等が設けられ、これらの挿入口２２，２３のそれぞれからは管路（チャネル）が延びている。
【００１０】
かかる洗滌槽３の側壁３ａからは、フレキシブルな２本の連結管２６，２２６が延び、連結管２６，２２６のそれぞれからは２本のワイヤブラシ３１，２３１が延びている。ワイヤブラシ３１，２３１は、ワイヤ部３３，２３３と、ワイヤ部３３，２３３先端のブラシ部３６，２３６とを有し、連結管２６，２２６の先端からの前進と後退とが可能である。連結管２６と２２６とのそれぞれは、内視鏡２の鉗子挿入口２２と吸引ボタン挿入口２３とのそれぞれに着脱可能である。ワイヤブラシ３１，２３１のそれぞれは、ワイヤ部３３，２３３がブラシ部３６，２３６とともに内視鏡２の鉗子挿入口２２につながる管路と、吸引ボタン挿入口２３につながる管路それぞれの奥部に向かって前進・後退を反復することにより、これらの管路内部をブラッシング洗滌することができる。
【００１１】
洗滌水として供給される好ましいアルカリ水はｐＨ１１．０以上、酸化還元電位（ＯＲＰ）−８００ｍＶ以上のもので、使用後の内視鏡２に付着している血液その他のタンパク質の汚れを溶解するために使用される。好ましい酸性水はｐＨ２．２〜２．７、酸化還元電位＋１１００ｍＶ以上、有効塩素濃度２０〜６０ｍｇ／ｋｇのもので内視鏡２に付着している細菌等を死滅させる殺菌剤として使用される。水道水は、内視鏡２を予めすすぐときや殺菌後にすすぐとき等に使用される。
【００１２】
図２は、洗滌槽３の要部斜視図である。洗滌槽３の外側には、内視鏡洗滌装置である第１洗滌装置５１と第２洗滌装置５２とが取り付けられている。第１洗滌装置５１と第２洗滌装置５２とは、ほぼ同じ構造を有するもので、これらの装置の内部とそれに連結された内視鏡２の内部とに洗滌水を流しながらワイヤブラシ３１，２３１（図１参照）を前進・後退させて、内視鏡２の内部を洗滌することができる。以下ではまず第１洗滌装置５１について説明する。第１洗滌装置５１は、長さの大部分が洗滌槽３を外側から囲むように延びるワイヤブラシ収納部位５６を有し、収納部位５６は、前端部５６ａと、後端部５６ｂと、これら両端部５６ａ，５６ｂ間に介在する中間部５６ｃとを有する。収納部位５６の前端部５６ａには連結管２６と駆動部５７とが含まれ、駆動部５７のハウジング７１が洗滌槽３の側壁３ａの外側に固定され、ハウジング７１からは洗滌槽３の内側へ連結管２６が延びている。連結管２６の先端には、内視鏡２の鉗子挿入口２２に対するアタッチメント５９が取り付けられており、アタッチメント５９からは、ワイヤブラシ３１の先端部分がのぞいている。収納部位５６の後端部５６ｂは、側壁３ｂに水密状態で固定されていて、洗滌槽３の内側にまで延び、開閉可能な密栓６１（図３参照）が取り付けられている。後端部５６ｂには、給水管６３と電磁弁６４とがつながっている。中間部５６ｃは、駆動部５７の近傍から給水管６３の近傍にまで延びており、長さ方向へ進展した状態のワイヤブラシ３１の大部分を収納することができる。
【００１３】
図３の（ａ）は第１洗滌装置５１の断面図であり、図３の（ｂ）は第２洗滌装置５２の断面図であって、ハウジング７１と２７１とは図１に示される線Ａ−ＡとＢ−Ｂとに沿って破断されている。第１洗滌装置５１では、実線で示されたワイヤブラシ３１のブラシ部３６がハウジング７１の後部にまで後退して、ワイヤブラシ３１はそのほぼ全長がパイプ状の収納部位５６の連結管２６から密栓６１に至るまでの間に収納されている。ワイヤブラシ３１のワイヤ部３３は、その前端にブラシ部３６を有し、後端に遮光部材からなる作用部６６を有する。収納部位５６の中間部５６ｃは、透明なプラスチック等からなる光透過性のものであり、駆動部５７のやや後方に前部センサ６７を有し、給水管６３のやや前方に後部センサ６８を有する。これらセンサ６７，６８は構造が同じもので、光透過性の中間部５６ｃの径方向外側にあって、互いに向かい合う投光器９１と受光器９２とからなる。図３（ａ）に仮想線で示されたワイヤブラシ３１は、実線で示されたワイヤブラシ３１よりも前進した状態にあり、作用部６６が後部センサ６８における受光器９２の前に位置して投光器９１からの光を遮り、ワイヤブラシ３１がその位置にあることをセンサ６８に検知させ、そのときの後部センサ６８が適宜の制御回路を介して電気信号を駆動部５７に伝える。その電気信号によって駆動部５７が始動してワイヤブラシ３１が仮想線で示された位置から前進し、作用部６６が前部センサ６７における受光器９２の前に来ると、投光器９１からの光を遮ってワイヤブラシ３１が前進位置にあることをセンサ６７に検知させ、そのときに前部センサ６７は電気信号を駆動部５７に伝える。駆動部５７は、ハウジング７１の内側に納まるローラ７２を有し、ハウジング７１の後方部位にはストッパー部９３が形成されている。ストッパー部９３は、ローラ７２寄りの前方開口部９３ａと、前方開口部９３ａの反対側に位置する後方開口部９３ｂとを有する。前方開口部９３ａの内径は、ワイヤ部３３の径よりも大きくて、作用部６６の径よりも小さく、後方開口部９３ｂの内径は、前方開口部９３ａの内径より大きくて、中間部５６ｃの内径にほぼ等しくなるように後方へ広がっている。ワイヤブラシ３１の先端のブラシ部３６は、仮想線で示されているように、ストッパー部９３の両開口部９３ａ，９３ｂを通過して駆動部５７のローラ７２よりもさらに前方へ延びる。収納部位５６の給水管６３では、電磁弁６４が開閉することによって、ワイヤブラシ３１が前進・後退運動しているときにも停止しているときにも収納部位５６の中へアルカリ水、酸性水、および水道水いずれかの洗滌水を供給することができる。このように使用される収納部位５６は、センサ６７，６８の近傍の部分のみが光透過性であって、その他の部分が非透過性であってもよい。
【００１４】
駆動部５７におけるローラ７２は、並列した一対のローラ７２ａ，７２ｂとローラ７２ｂに回転可能に接続する駆動ギア７４と（図１参照）からなり、適宜の圧力でワイヤブラシ３１のワイヤ部３３を挟持して回転し、ワイヤブラシ３１を前進・後退させることができる手段である。ワイヤブラシ３１は収納部位５６に対して挿抜されるときに、ブラシ部３６がローラ７２ａ，７２ｂ間を通過する。ローラ７２ｂは、駆動ギア７４（図１参照）を介してモータ（図示せず）につながっており、ワイヤブラシ３１の前進方向と後退方向とに回転可能である。
【００１５】
このように形成された第１洗滌装置５１では、洗滌槽３の内部において、連結管２６のアタッチメント５９を図１における内視鏡２の鉗子挿入口２２に固定する。このときに、連結管２６からワイヤブラシ３１が突出していれば、鉗子挿入口２２に予め挿し込んでおく。次に、第２洗滌装置５２の連結管２２６のアタッチメント２５９を内視鏡２の吸引ボタン挿入口２３に固定する。洗滌槽３の操作パネルを使って第１，２洗滌装置５１，５２の運転を開始すると、第１洗滌装置５１については、給水管６３の電磁弁６４が開いて収納部位５６の内部にアルカリ水、酸性水、水道水のいずれかがパネルの設定条件に従って供給される。運転開始時のワイヤブラシ３１は、図３（ａ）に仮想線で示されるように、作用部６６が後部センサ６８の受光器９２の前に位置した状態にあり、駆動手段５７では、ローラ７２ａ，７２ｂがワイヤブラシ３１を前進させたり後退させたりしながら繰り出して、内視鏡２の鉗子用管路内を徐々に前進させる。ワイヤブラシ３１の作用部６６が前部センサ６７に到着すると、作用部６６によって光を遮られた前部センサ６７からの信号でワイヤブラシ３１の前進が止まる。その後に、ローラ７２ａ，７２ｂはワイヤブラシ３１を前進させたり後退させたりしながら、または単に後退させるだけで作用部６６が後部センサ６８に到着するところまで戻す。通常は、このような洗滌を１サイクルとしてアルカリ水、酸性水、水道水のそれぞれについて少なくとも１サイクルの洗滌を行うことで、内視鏡２の鉗子用管路に対する洗滌が終了する。好ましい第１洗滌装置５１では、各洗滌水ごとの洗滌繰り返し回数（サイクル数）等の洗滌条件を適宜の値に設定することができる。このようにして内視鏡２を洗滌している間に、ワイヤブラシ３１もまた洗滌される。ワイヤブラシ３１は、収納部位５６内で直状に延びているから、ワイヤ部３３の周囲およびブラシ部３６の周囲が収納部位５６に供給される洗滌水によって余すところなく洗滌される。ワイヤブラシ３１は、その作用部６６が後部センサ６８に位置しているときにブラシ部３６が内視鏡２の鉗子挿入口２２の手前に位置し、作用部６６が前部センサ６７に位置しているときに内視鏡２の鉗子用管路の先端に到着するような長さのものであることが好ましく、収納部位５６もそれに対応した長さであることが好ましい。
【００１６】
ワイヤブラシ３１を収納部位５６に対して挿抜するときには、洗滌槽３の内側にある密栓６１を外し、収納部位５６の後端部５６ｂを開放すればよい。後端部５６ｂは、洗滌槽３の内側に位置しているから、後端部５６ｂが開放状態であったり、後端部５６ｂに対する密栓６１の取り付けが不完全であったりしても、収納部位５６に供給される洗滌水は、洗滌槽３が設置されている室内に漏れ出るということがない。但し、第１洗滌装置５１は、収納部位５６の後端部５６ｂを洗滌槽３から外した状態で密栓６１を取り付け、駆動手段５７と連結管２６も洗滌槽３から外し、装置５１の全体を洗滌槽３から切り離した状態で使用することも可能である。
【００１７】
図３（ｂ）の第２洗滌装置５２は、後部センサの構成を除くと、第１洗滌装置５１と同じである。以下では、第２洗滌装置５２について、第１洗滌装置５１の参照番号に対応する部位にその参照番号に２００を加えて説明する。第２洗滌装置５２は、給水管２６３の前方に収納部位２５６の長さ方向へ並ぶ第１後部センサ２６８ａと、第２後部センサ２６８ｂと、第３後部センサ２６８ｃとを有する。これら第１〜３後部センサ２６８ａ〜２６８ｃのそれぞれの構造は、前部センサ２６７のそれと同じであって、投光器２９１と受光器２９２とからなる。第２洗滌装置５２は、図１に示されている内視鏡２の吸引ボタン挿入口２３につながる吸引管路とユニバーサルコード部１８の管路とを洗滌するのに適したもので、連結管２２６のアタッチメント２５９は、吸引ボタン挿入口２３に固定される。
【００１８】
洗滌槽３の操作パネルを使って第２洗滌装置５２を始動すると、第１洗滌装置５１におけるモータと同様なモータによって駆動されるワイヤブラシ２３１は、例えば作用部２６６が第２後部センサ２６８ｂの位置から前進を開始し、前進・後退を繰り返しながら第３後部センサ２６８ｃに到着する。この間にブラシ部２３６は内視鏡２の吸引管路を前進・後退しながら洗滌する。次に、ワイヤブラシ２３１は、作用部２６６が第３後部センサ２６８ｃから第１後部センサ２６８ａに到着するまで後退し、その間にブラシ部２３６が内視鏡２の吸引管路から抜ける。さらに、ワイヤブラシ２３１は、作用部２６６が前部センサ２６７に到着するまで前進・後退を繰り返しながら進み、その間にブラシ部２３６が内視鏡２のユニバーサルコード部１８の管路に進入してこの管路を洗滌する。作用部２６６が前部センサ２６７に到着したワイヤブラシ２３１は、その作用部２６６が第２後部センサ２６８ｂに到着するところまで後退する。
【００１９】
この発明において、第１洗滌装置５１の収納部位５６と第２洗滌装置５２の収納部位２５６とは、長さの異なるものに代えることができる。また、洗滌槽３は、第１洗滌装置５１または第２洗滌装置５２の一方のみを取り付けて使用することもできる。
【００２０】
このように、ローラ７２ａ，７２ｂでワイヤ部３３を挟持することによってワイヤブラシ３１を前進・後退させる洗滌装置５１では、ワイヤブラシ３１の先端が曲がっていたりすると、対を成すローラ７２ａと７２ｂの間にワイヤブラシ３１を速やかに進入させることができないことがある。また、センサ６７や６８の誤動作によりワイヤブラシ３１の作用部６６の位置を検出することができなくなったときには、作用部６６が駆動部５７のハウジング７１内部にまで前進し、一対のローラ７２ａと７２ｂとの間に作用部６６が挟み込まれるという現象が起こり得る。
【００２１】
しかし、この発明に係る洗滌装置５１では、ワイヤブラシ３１後端の作用部６６におけるワイヤ３３と直交する方向の断面形状がワイヤ３３よりも径が大きい実質的な円形であって、ハウジング７１にはローラ７２よりも後方の部位に、ワイヤ３３の径よりも大きくて作用部６６の径よりも小さい前方開口部９３ａを有するストッパー部９３が形成されている。それゆえ、ワイヤブラシ３１は、作用部６６が前部センサ６７へ到達したときに、仮に停止することがなくて前進を続けても、作用部６６はストッパー部９３の前方開口部９３ａの手前で停止して、ローラ７２ａ，７２ｂへ挟み込まれるということがない。
【００２２】
図４は、第１洗滌装置５１における収納部位５６の要部断面図である。ハウジング７１に形成されたストッパー部９３では、ワイヤブラシ３１のブラシ部３６が前方開口部９３ａから前方へ延出し、ワイヤ部３３が前方開口部９３ａから後方開口部９３ｂを通って後方へ延びている。前方開口部９３ａは、その内径がワイヤ部３３よりも僅かに大きい程度であるから、前方開口部９３ａを前進・後退可能に通過するワイヤブラシ３３が径方向へ大きくふれ動くことを防いで、先端のブラシ部３６をローラ７２へ向かってほぼ水平に導くように作用する。したがって、ブラシ部３６やワイヤ部３３が少々曲がっていても、ブラシ部３６を一対のローラ７２ａ，７２ｂ間に確実に挿入することができる。かような作用を一層確かなものにするには、前方開口部９３ａの前端９６から一対のローラ７２ａ，７２ｂがワイヤ部３３を挟持する部位までの距離Ｐ、即ち図４における前方開口部９３ａの前端９６からローラ７２ａの中心軸Ｃ−Ｃ線までの距離Ｐを極力小さく、好ましくは距離Ｐを３〜５０ｍｍの範囲内におさめるように駆動部５７を形成する。
【００２３】
図５は、図４と同様な図面である。この図では、作用部６６が前部センサ６７を通りすぎてしまい、ワイヤブラシ３１が前進し過ぎて、後端の作用部６６がストッパー部９３に進入している。ただし、ストッパー部９３の前方開口部９３ａは、内径がワイヤブラシ３１の作用部６６の径よりも小さいから、作用部６６の通過を阻止し、作用部６６は一対のローラ７２ａ，７２ｂ間に進入するということがない。
【００２４】
ワイヤブラシ３１の作用部６６は、ワイヤ部３３と直交する方向の断面形状が実質的に円形を呈する円柱状のものである。かかる作用部６６には、その断面形状が円形であるものの他に、ワイヤ部３３と直交する方向の断面形状が正多角形のものが含まれる。いずれの作用部６６もパイプ状の中間部５６ｃを前進・後退するが、ストッパー部９３の前方開口部９３ａを通過することはない。
【００２５】
この発明において、第２洗滌装置５２の作用部２６６は、第１洗滌装置５１の作用部６６と同様の形状に作ることができる。これら作用部６６，２６６はプラスチックその他適宜の材料によって作ることができる。第１洗滌装置５１の収納部位５６に対して後端部５６ｂでつながる給水管６３は、中間部５６ｃでつながるものに代えることができる。給水管６３の位置と前部センサ６７や後部センサ６８の位置との間には、格別の規定はない。
【００２６】
図示例の第２洗滌装置５２は、第１洗滌装置５１と同様に作られた作用部２６６とストッパー部２９３とを有する。
【００２７】
【発明の効果】
この発明に係る内視鏡洗滌装置では、ワイヤブラシ収納部位にワイヤブラシを駆動する手段とワイヤブラシの位置検出手段を設け、その手段に対するワイヤの後端に設けられた作用部は、ワイヤと直交する方向の断面形状がワイヤよりも径が大きい実質的な円形であって、駆動手段を形成するローラよりも後方の部位には、ワイヤの径よりも大きくて作用部の径よりも小さく、作用部の前進を阻止することが可能なストッパー部を形成したから、ワイヤブラシの先端をローラへ導くことが容易であり、また、ワイヤブラシが前進し過ぎて作用部がローラに絡まるということを防止できる。
【図面の簡単な説明】
【図１】内視鏡洗滌装置が使用される洗滌槽の部分頂面図。
【図２】図１の洗滌槽の斜視図。
【図３】（ａ）は内視鏡洗滌装置の断面図。
（ｂ）は内視鏡洗滌装置の断面図。
【図４】内視鏡洗滌装置の要部断面図。
【図５】内視鏡洗滌装置の要部断面図。
【符号の説明】
２      内視鏡
３１      ワイヤブラシ
３３      ワイヤ部
３６      ブラシ部
５１      内視鏡洗滌装置
５２      内視鏡洗滌装置
５６      ワイヤブラシ収納部位
５６ａ    前端部
５６ｂ    後端部
５６ｃ    中間部
５７      駆動手段
６６      作用部
６７      検出手段
６８，６８ａ，６８ｂ，６８ｃ      検出手段
９３      ストッパー部
２３１      ワイヤブラシ
２３３      ワイヤ
２３６      ブラシ
２５６      ワイヤブラシ収納部位
２５６ｂ    後端部
２６６      作用部
２６７      検出手段
２６８ａ，２６８ｂ，２６８ｃ      検出手段
２９３      ストッパー部
【図１】
2004167101.tif 000003
【図２】
2004167101.tif 000004
【図３】
2004167101.tif 000005
【図４】
2004167101.tif 000006
【図５】
2004167101.tif 000007